(57)【要約】【課題】電力会社による出力制御計画が実施される場合でも、発電した電力を有効に利用することである。【解決手段】蓄電システム１は、蓄電池ＢＴと調整部１００とを具備する。調整部１００は、太陽光パネルＰＮにより発電された電力の電力系統ＣＰへの出力が抑制される前に、蓄電池ＢＴの残量を予め設定された値よりも低い値に調整するように制御する。例えば、調整部１００は、電力の電力系統ＣＰ側への出力が抑制される前日に、蓄電池ＢＴの充電電力量を予め設定された値よりも低い値に設定する。【選択図】図１
2017175840.tif 000002
【特許請求の範囲】
【請求項１】
蓄電池と；
太陽光パネルにより発電された電力の電力系統への出力が抑制される前に、前記蓄電池の残量を予め設定された値よりも低い値に調整するように制御する調整部と；
を具備することを特徴とする蓄電システム。
【請求項２】
前記調整部は、前記電力の電力系統への出力が抑制される前夜に、買電による前記蓄電池の充電電力量を予め設定された値より低い値に設定する
ことを特徴とする請求項１に記載の蓄電システム。
【請求項３】
前記調整部は、前記電力の電力系統側への出力が抑制される前日に、前記太陽光パネルにより発電された電力を、前記蓄電池に充電することよりも前記電力系統へ売電することを優先する
ことを特徴とする請求項１または請求項２に記載の蓄電システム。
【請求項４】
前記調整部は、前記電力の電力系統側への出力が抑制される前日に、前記蓄電池の充電電力量を予め設定された値よりも低い値に設定する
ことを特徴とする請求項１〜３のいずれか１項に記載の蓄電システム。
【請求項５】
前記調整部は、前記電力の電力系統への出力が抑制される割合に応じて、前記蓄電池の残量を調整する制御動作を変更する
ことを特徴とする請求項１〜４のいずれか１項に記載の蓄電システム。
【請求項６】
前記調整部は、前記割合が大きいほど、前記電力の電力系統への出力が抑制される前夜の買電による蓄電池への充電電力量を少なくする
ことを特徴とする請求項５に記載の蓄電システム。
【請求項７】
前記調整部は、前記割合が所定の既定値を超えた場合に、前記電力の電力系統側への出力が抑制される前日について、前記太陽光パネルの余剰電力を、前記蓄電池に充電することよりも前記電力系統へ売電することを優先するモードに変更する
ことを特徴とする請求項５に記載の蓄電システム。
【請求項８】
前記調整部は、前記割合が所定の既定値を超えた場合に、前記電力の電力系統側への出力が抑制される当日について、前記太陽光パネルの余剰電力を、前記電力系統へ売電せずに前記蓄電池へ充電するモードに変更する
ことを特徴とする請求項５に記載の蓄電システム。
【発明の詳細な説明】
【技術分野】
【０００１】
本発明の実施形態は、蓄電システムに関する。
【背景技術】
【０００２】
近年、固定価格買取制度により太陽光発電が急速に増加しており、太陽光発電の増加が継続すれば電力の供給が需要を上回る恐れがあるため、電力会社が太陽光発電との接続可能量を抑制する出力制御の検討が行われている。
【先行技術文献】
【非特許文献】
【０００３】
【非特許文献１】“出力制御機能付ＰＣＳの技術仕様について”、［online］、太陽光発電協会、日本電機工業会、電気事業連合会、２０１５年５月１３日、［平成２８年３月１６日検索］、インターネット<http://www.jpea.gr.jp/pdf/pcs.pdf>
【発明の概要】
【発明が解決しようとする課題】
【０００４】
ところで、電力会社からの出力制御計画が実施される場合、太陽光発電電力の系統への売電が制御される。ところが、自家消費を太陽光発電電力でまかない、余剰電力を充電する蓄電池も満充電になっている場合、発電した電力の用途がなくなり無駄になってしまうといった課題がある。
【課題を解決するための手段】
【０００５】
実施形態の蓄電システムは、蓄電池と調整部とを具備する。調整部は、太陽光パネルにより発電された電力の電力系統への出力が抑制される前に、前記蓄電池の残量を予め設定された値よりも低い値に調整するように制御する。
【発明の効果】
【０００６】
実施形態に係る蓄電システムによれば、電力会社による出力制御計画が実施される場合でも、発電した電力を有効に利用することができる。
【図面の簡単な説明】
【０００７】
【図１】図１は、実施形態に係る蓄電システムの動作の一例を示す図である。
【図２】図２は、電力系統への出力が抑制される前夜に、買電による充電電力量を少なくする処理を説明する図である。
【図３】図３は、電力系統側への出力が抑制される前日に、太陽光パネルにより発電された電力を、蓄電池に充電せずに電力系統への売電を主とするモードに変更する処理を説明する図である。
【図４】図４は、電力の電力系統側への出力が抑制される当日に、太陽光パネルの余剰電力を、電力系統へ売電せずに蓄電池へ充電するモードに変更する処理を説明する図である。
【図５】図５は、実施形態に係る蓄電システムにおける動作の一例を示すフローチャートである。
【発明を実施するための形態】
【０００８】
以下で説明する実施形態に係る蓄電システム１は、蓄電池ＢＴと、太陽光パネルＰＮにより発電された電力の電力系統ＣＰへの出力が抑制される前に、蓄電池ＢＴの残量を予め設定された値よりも低い値に調整するように制御する調整部１００とを具備する。
【０００９】
また、以下で説明する実施形態に係る蓄電システム１において、調整部１００は、電力の電力系統ＣＰへの出力が抑制される前夜に、買電による蓄電池ＢＴの充電電力量を予め設定された値より低い値に設定する。
【００１０】
また、以下で説明する実施形態に係る蓄電システム１において、調整部１００は、電力の電力系統ＣＰ側への出力が抑制される前日に、太陽光パネルＰＮにより発電された電力を、蓄電池ＢＴに充電することよりも電力系統ＣＰへ売電することを優先する。
【００１１】
また、以下で説明する実施形態に係る蓄電システム１において、調整部１００は、電力の電力系統ＣＰ側への出力が抑制される前日に、蓄電池ＢＴの充電電力量を予め設定された値よりも低い値に設定する。
【００１２】
また、以下で説明する実施形態に係る蓄電システム１において、調整部１００は、電力の電力系統ＣＰへの出力が抑制される割合に応じて、蓄電池ＢＴの残量を調整する制御動作を変更する。
【００１３】
また、以下で説明する実施形態に係る蓄電システム１において、調整部１００は、割合が大きいほど、電力の電力系統ＣＰへの出力が抑制される前夜の買電による蓄電池ＢＴへの充電電力量を少なくする。
【００１４】
また、以下で説明する実施形態に係る蓄電システム１において、調整部１００は、割合が所定の既定値を超えた場合に、電力の電力系統ＣＰ側への出力が抑制される前日について、太陽光パネルＰＮの余剰電力を、蓄電池ＢＴに充電することよりも電力系統ＣＰへ売電することを優先するモードに変更する。
【００１５】
また、以下で説明する実施形態に係る蓄電システム１において、調整部１００は、割合が所定の既定値を超えた場合に、電力の電力系統ＣＰ側への出力が抑制される当日について、太陽光パネルＰＮの余剰電力を、電力系統ＣＰへ売電せずに蓄電池ＢＴへ充電するモードに変更する。
【００１６】
［実施形態］
まず、本発明の実施形態に係る蓄電システム１における蓄電池の充電を図１に基づいて説明する。図１は、実施形態に係る蓄電システムの動作の一例を示す図である。図１の例では、蓄電システム１は、ユーザ（需要家）の住宅ＨＭに設けられ、蓄電池ＢＴを所定の電力系統ＣＰから供給される電力や太陽光パネルＰＮにより生成された電力により充電したり、蓄電池ＢＴを充電した電力を負荷である電気機器ＬＤ等に供給したりする。
【００１７】
［蓄電システム］
図１に示すように、蓄電システム１は、コントローラＣＴと、蓄電池ＢＴと、蓄電池用分電盤ＶＤと、住宅用分電盤ＨＤと、スマートメータＭＴと、ホームゲートウェイＧＷと、通信機器ＮＤと、太陽光パネルＰＮと、ハイブリッドパワーコンディショナＰＣと、出力制御ユニットＯＵとを具備する。このように、図１に示す蓄電システム１は、ホームゲートウェイＧＷを経由して所定のネットワークＮＴに接続可能である。また、蓄電システム１は、ネットワークＮＴにより外部のサーバＳＶ等との間で情報の送受信が可能である。例えば、図１において、各構成間を結ぶ実線は電気的な接続関係を示し、各構成間を結ぶ点線は情報の送受信が可能な接続関係を示す。なお、蓄電システム１の各構成の接続関係は図１に示した接続関係に限らず、他の接続関係であってもよい。例えば、実線で結ばれた各構成間において情報の送受信が可能であってもよいし、点線で結ばれた各構成間において電気的な接続関係があってもよい。なお、図１に示す構成は一例であって、蓄電システム１は他の構成であってもよい。
【００１８】
コントローラＣＴは、蓄電システム１における各種情報をユーザに通知したり、蓄電システム１に対するユーザの操作を受け付けたりする。例えば、コントローラＣＴは、操作部ＯＰによりユーザの操作を受け付ける。また、例えば、コントローラＣＴは、蓄電システム１に関する情報を表示する出力部を有してもよい。
【００１９】
蓄電池ＢＴは、住宅ＨＭで用いられる二次電池（バッテリ）である。例えば、蓄電池ＢＴは、電力系統ＣＰから供給される電力や太陽光パネルＰＮにより生成された電力により充電される。また、例えば、蓄電池ＢＴは、蓄えた電力を蓄電池用分電盤ＶＤや住宅用分電盤ＨＤを経由して住宅ＨＭ内の電気機器ＬＤに供給する。例えば、蓄電池ＢＴは、蓄電池用分電盤ＶＤを経由して電気機器ＬＤのうち選定負荷ＳＬに電力を供給する。また、例えば、蓄電池ＢＴは、住宅用分電盤ＨＤを経由して電気機器ＬＤのうち一般負荷ＮＬに電力を供給する。例えば、蓄電池ＢＴは、停電時においては、蓄電池用分電盤ＶＤを経由して選定負荷ＳＬのみに電力を供給する。
【００２０】
なお、蓄電池ＢＴは、充電を行うことにより電気を蓄えることができ、繰り返し充放電して使用することが出来る電池であればどのような電池であってもよい。例えば、蓄電池ＢＴとしては、リチウムイオン電池や鉛電池やニッケル水素電池など、目的に応じて種々の蓄電池が適宜選択されてもよい。また、蓄電池ＢＴは、電力を蓄える機能を有すればどのような構成であってもよく、例えば、電気自動車やプラグインハイブリッド自動車等であってもよい。
【００２１】
蓄電池用分電盤ＶＤ及び住宅用分電盤ＨＤは、住宅ＨＭの配線に電気を分ける装置である。例えば、蓄電池用分電盤ＶＤ及び住宅用分電盤ＨＤは、漏電遮断器や配線用遮断器等の種々の機器を含む。例えば、蓄電池用分電盤ＶＤは、電力系統ＣＰや蓄電池ＢＴから供給される電力を住宅ＨＭの選定負荷ＳＬに供給したりする。また、例えば、住宅用分電盤ＨＤは、電力系統ＣＰや蓄電池ＢＴから供給される電力を住宅ＨＭの一般負荷ＮＬに供給したりする。
【００２２】
スマートメータＭＴは、電力系統ＣＰから供給された電力、すなわち電力系統ＣＰから買電した電力や、電力系統ＣＰ側へ供給した電力、すなわち売電した電力を計量するメータである。すなわち、スマートメータＭＴは、電力系統ＣＰの供給電力に関する情報を保持し、蓄電池ＢＴと通信可能な情報保持部として機能する。例えば、スマートメータＭＴは、売電した電力を計量するメータと、買電した電力を計量するメータとを各々含んでもよい。例えば、スマートメータＭＴは、住宅用分電盤ＨＤと電力系統ＣＰとの間に設けられ、売電した電力を計量したり、買電した電力を計量したりする。また、スマートメータＭＴは、ホームゲートウェイＧＷに各情報を送信可能である。
【００２３】
ホームゲートウェイＧＷは、ネットワークＮＴと住宅ＨＭ内のネットワーク、すなわち蓄電システム１のネットワークとの間の情報の送受信を可能にするネットワーク機器である。なお、ホームゲートウェイＧＷとネットワークＮＴとの間に、所定の中継機器（例えばブロードバンドルータ）等が設けられる場合があるが、図１及び図２においては説明を省略する。また、ホームゲートウェイＧＷは、蓄電システム１の各構成間の情報の送受信を可能にする。例えば、ホームゲートウェイＧＷは、サーバＳＶとの間の情報の送受信を可能にする。通信機器ＮＤは、モデムやルータ等、ネットワークＮＴと接続して情報通信を可能にする装置である。
【００２４】
太陽光パネルＰＮは、例えば、太陽電池素子（セル）を必要枚数配列し、樹脂や強化ガラスなどによりパッケージ化した太陽電池モジュールであり、ソーラーパネルとも呼ばれる。なお、太陽光パネルＰＮに用いられるセルは、どのようなセルであってもよい。例えば、太陽光パネルＰＮに用いられるセルは、シリコン系のセルや化合物系のセルや有機系のセルなど、目的に応じて種々のセルが適宜選択されてもよい。なお、蓄電システム１は、太陽光パネルＰＮを有さなくてもよい。
【００２５】
ハイブリッドパワーコンディショナＰＣは、パワコン、ＰＣＳ（Power  Conditioning  System）とも称される装置であって、太陽光パネルＰＮから接続箱（図示せず）を経由して送信される電力を、住宅ＨＭ内の電気機器ＬＤなどで利用可能にする装置である。例えば、ハイブリッドパワーコンディショナＰＣは、太陽光パネルＰＮから接続箱を経由して送信される直流電力を交流電力に変換する。また、例えば、ハイブリッドパワーコンディショナＰＣは、直流電力をそのまま蓄電池ＢＴへの充電に利用してもよいし、交流電力に変換した後、電力を住宅ＨＭ内での利用や、電力系統ＣＰへの売電などに対応する出力に調整する。また、例えば、ハイブリッドパワーコンディショナＰＣは、ホームゲートウェイＧＷと通信可能である。
【００２６】
また、ハイブリッドパワーコンディショナＰＣは、蓄電池ＢＴが供給する電力を、住宅ＨＭ内の電気機器ＬＤなどで利用可能にする。例えば、ハイブリッドパワーコンディショナＰＣは、蓄電池ＢＴから放電される直流電力を交流電力に変換する。また、例えば、ハイブリッドパワーコンディショナＰＣは、交流電力に変換した後、電力を住宅ＨＭ内での利用や、電力系統ＣＰへの売電などに対応する出力に調整する。
【００２７】
出力制御ユニットＯＵは、通信機器ＮＤを介してサーバＳＶから出力制御情報を取得し、取得した出力制御情報に基づいて、ハイブリッドパワーコンディショナＰＣを制御する。例えば、出力制御ユニットＯＵは、サーバＳＶから出力制御情報として、電力系統への出力を「８０％」に抑制する出力制御情報を受信した場合には、ハイブリッドパワーコンディショナＰＣに対して、太陽光パネルＰＮが発電した電力の電力系統ＣＰへの出力を、通常時に出力する電力の「８０％」に抑制するように制御する。なお、出力制御ユニットＯＵは、出力制御計画が実行される前に、出力制御情報を事前に受信するものとする。
【００２８】
また、コントローラＣＴは、調整部１００を有する。調整部１００は、ハイブリッドパワーコンディショナＰＣから出力制御情報を取得し、出力制御計画が実施される前に各種制御を行う。
【００２９】
調整部１００は、太陽光パネルＰＮにより発電された電力の電力系統ＣＰへの出力が抑制される前に、蓄電池ＢＴの残量を予め設定された値よりも低い値に調整するように制御する。具体的には、調整部１００は、電力の電力系統ＣＰへの出力が抑制される割合に応じて、蓄電池ＢＴの残量を調整する制御動作を変更する。
【００３０】
例えば、調整部１００は、電力の電力系統ＣＰへの出力が抑制される前夜に、買電による蓄電池ＢＴの充電電力量を予め設定された値より低い値に設定する。例えば、調整部１００は、電力の電力系統ＣＰへの出力が抑制される割合が大きいほど、電力の電力系統ＣＰへの出力が抑制される前夜の買電による蓄電池ＢＴへの充電電力量を少なくする。調整部１００は、例えば、電力の電力系統ＣＰへの出力が抑制される割合が８０％である場合には、前夜の買電による蓄電池ＢＴへの充電電力量を通常の８０％に変更する。
【００３１】
ここで、図２を用いて、電力系統ＣＰへの出力が抑制される前夜に、買電による充電電力量を少なくする処理を説明する。図２は、電力系統への出力が抑制される前夜に、買電による充電電力量を少なくする処理を説明する図である。図２に示すように、コントローラＣＴは、サーバＳＶから出力制御ユニットＯＵへ送信された出力制御情報として、電力系統ＣＰへの出力抑制が大きい場合には（図２の（１）参照）、ハイブリッドパワーコンディショナＰＣに対して、前日夜間の買電による蓄電池ＢＴへの充電電力量を少なくするように制御させる（図２の（２）参照）。なお、コントローラＣＴは、出力抑制が大きければ大きいほど、ハイブリッドパワーコンディショナＰＣに対して、蓄電池ＢＴへの充電電力量を少なくするように制御させる。
【００３２】
このように、調整部１００は、電力の電力系統ＣＰへの出力が抑制される前夜に、買電による蓄電池ＢＴの充電電力量を予め設定された値より低い値に設定する。このため、出力制御計画の前夜に充電電力量を無駄に増やさず、出力制御計画の当日に余剰太陽電力により蓄電池ＢＴを効率的に満充電にすることができるため、発電した電力を有効に利用することができる。
【００３３】
また、例えば、調整部１００は、電力の電力系統ＣＰ側への出力が抑制される前日に、太陽光パネルＰＮにより発電された電力を、蓄電池ＢＴに充電することよりも電力系統ＣＰへ売電することを優先する。例えば、調整部１００は、電力の電力系統ＣＰへの出力が抑制される割合が所定の既定値を超えた場合に、電力の電力系統ＣＰ側への出力が抑制される前日について、太陽光パネルＰＮの余剰電力を、蓄電池ＢＴに充電することよりも電力系統ＣＰへ売電することを優先するモードに変更する。
【００３４】
また、例えば、調整部１００は、電力の電力系統ＣＰ側への出力が抑制される前日に、蓄電池ＢＴの充電電力量を予め設定された値よりも低い値に設定する。ここで、予め設定された値とは、ユーザが設定した蓄電池ＢＴにおける電力の残量である。例えば、ユーザが設定した蓄電池ＢＴにおける電力の残量として「１ｋＷｈ」が設定されると、蓄電池ＢＴに「１ｋＷｈ」の電力量が常に蓄電されている状態が維持されることとなる。
【００３５】
ここで、図３を用いて、電力系統側への出力が抑制される前日に行われる処理を説明する。図３は、電力系統側への出力が抑制される前日に、太陽光パネルにより発電された電力を、蓄電池に充電せずに電力系統への売電を主とするモードに変更する処理を説明する図である。図３に例示するように、コントローラＣＴは、サーバＳＶから出力制御ユニットＯＵへ送信された出力制御情報として、電力系統ＣＰへの出力抑制の割合が「８０％」を受信し（図３の（１）参照）、既定値が「７０％」である場合には、電力の電力系統ＣＰへの出力が抑制される割合が既定値を超えている。
【００３６】
この場合には、コントローラＣＴは、電力の電力系統ＣＰ側への出力が抑制される前日について、太陽光パネルＰＮの余剰電力を、蓄電池ＢＴに充電することよりも電力系統ＣＰへ売電することを優先するモードに変更するように、ハイブリッドパワーコンディショナＰＣに制御させる（図３の（２）参照）。
【００３７】
また、コントローラＣＴは、電力の電力系統ＣＰ側への出力が抑制される前日に、蓄電池ＢＴの充電電力量を低い値に設定する（図３の（３）参照）。例えば、蓄電池ＢＴの充電電力量が「１ｋＷｈ」である場合には、蓄電池ＢＴの充電電力量を半分の「０．５ｋＷｈ」に変更する。なお、充電電力量をどのくらい低くするかは、任意に設定可能であり、例えば、ユーザが設定した蓄電池ＢＴにおける電力の残量の８０％に低下させる等としてもよい。
【００３８】
このように、出力制御計画の前日に、出力制御計画の前夜に充電電力量を無駄に増やさず積極的に売電する一方で、出力制御計画の当日に余剰太陽電力により蓄電池ＢＴを効率的に満充電にすることができるため、発電した電力を有効に利用することができる。
【００３９】
また、例えば、調整部１００は、電力の電力系統ＣＰへの出力が抑制される割合が所定の既定値を超えた場合に、電力の電力系統ＣＰ側への出力が抑制される当日について、太陽光パネルＰＮの余剰電力を、電力系統ＣＰへ売電せずに蓄電池ＢＴへ充電するモードに変更する。
【００４０】
ここで、図４を用いて、電力の電力系統ＣＰ側への出力が抑制される当日に、太陽光パネルＰＮの余剰電力を、電力系統ＣＰへ売電せずに蓄電池ＢＴへ充電するモードに変更する処理を説明する。図４は、電力の電力系統側への出力が抑制される当日に、太陽光パネルの余剰電力を、電力系統へ売電せずに蓄電池へ充電するモードに変更する処理を説明する図である。図４に例示するように、コントローラＣＴは、サーバＳＶから出力制御ユニットＯＵへ送信された出力制御情報として、電力系統ＣＰへの出力抑制の割合が「８０％」を受信し（図４の（１）参照）、既定値が「７０％」である場合には、電力の電力系統ＣＰへの出力が抑制される割合が既定値を超えている。
【００４１】
この場合には、コントローラＣＴは、太陽光パネルＰＮの余剰電力を、電力系統ＣＰへ売電せずに蓄電池ＢＴへ充電するモードに変更する（図４の（２）参照）。つまり、電力の電力系統ＣＰ側への出力が抑制される当日においては、電力の電力系統ＣＰ側への出力が抑制されているため、自家消費を太陽光パネルＰＮで発電した電力でまかない、余剰電力を蓄電池ＢＴに優先的に充電する。
【００４２】
［蓄電システムの処理手順］
次に、図５を参照して、蓄電システム１における動作例を説明する。図５は、実施形態に係る蓄電システムにおける動作の一例を示すフローチャートである。図５に示すように、調整部１００は、出力制御ユニットＯＵから出力制御情報を取得する（ステップＳ１０１）。そして、調整部１００は、現在が出力制御計画が実施される前日であるか否かを判定する（ステップＳ１０２）。この結果、調整部１００は、出力制御計画が実施される前日でないと判定された場合には（ステップＳ１０２否定）、ステップＳ１０６の処理に移る。また、調整部１００は、出力制御計画が実施される前日であると判定された場合には（ステップＳ１０２肯定）、余剰太陽電力の売電を主とするモードに変更する（ステップＳ１０３）。つまり、調整部１００は、太陽光パネルＰＮの余剰電力を、蓄電池ＢＴに充電することよりも電力系統ＣＰへ売電することを優先するモードに変更する。
【００４３】
続いて、調整部１００は、現在が出力制御計画が実施される前日の夜であるか否かを判定する（ステップＳ１０４）。この結果、調整部１００は、出力制御計画が実施される前日の夜でないと判定された場合には（ステップＳ１０４否定）、ステップＳ１０６の処理に移る。また、調整部１００は、出力制御計画が実施される前日の夜であると判定された場合には（ステップＳ１０４肯定）、買電による蓄電池ＢＴへの充電電力量を少なくするように制御する（ステップＳ１０５）。
【００４４】
そして、調整部１００は、現在が出力制御計画が実施される当日であるか否かを判定する（ステップＳ１０６）。この結果、調整部１００は、出力制御計画が実施される当日でないと判定された場合には（ステップＳ１０６否定）、そのまま処理を終了する。また、調整部１００は、出力制御計画が実施される当日であると判定された場合には（ステップＳ１０６肯定）、余剰太陽電力の蓄電池ＢＴへの充電を主とするモードに変更して（ステップＳ１０７）、処理を終了する。
【００４５】
［実施形態の効果］
このように、実施形態に係る蓄電システム１では、蓄電池ＢＴと、太陽光パネルＰＮにより発電された電力の電力系統ＣＰへの出力が抑制される前に、蓄電池ＢＴの残量を予め設定された値よりも低い値に調整するように制御する調整部１００とを具備する。このため、電力会社による出力制御計画が実施される場合でも、発電した電力を有効に利用することができる。
【００４６】
また、実施形態に係る蓄電システム１では、調整部１００は、電力の電力系統ＣＰへの出力が抑制される前夜に、買電による蓄電池ＢＴの充電電力量を予め設定された値より低い値に設定する。このため、出力制御計画の前夜に充電電力量を無駄に増やさず、出力制御計画の当日に余剰太陽電力により蓄電池ＢＴを効率的に満充電にすることができるため、発電した電力を有効に利用することができる。
【００４７】
また、実施形態に係る蓄電システム１では、調整部１００は、電力の電力系統ＣＰ側への出力が抑制される前日に、太陽光パネルＰＮにより発電された電力を、蓄電池ＢＴに充電することよりも電力系統ＣＰへ売電することを優先する。このため、出力制御計画の前日に、充電電力量を無駄に増やさず積極的に売電する一方で、出力制御計画の当日に余剰太陽電力により蓄電池を効率的に満充電にすることができるため、発電した電力を有効に利用することができる。
【００４８】
また、実施形態に係る蓄電システム１では、調整部１００は、電力の電力系統ＣＰ側への出力が抑制される前日に、蓄電池ＢＴの充電電力量を予め設定された値よりも低い値に設定する。このため、出力制御計画の前日に、充電電力量を無駄に増やさないようにして、出力制御計画の当日に余剰太陽電力により蓄電池ＢＴを効率的に満充電にすることができるため、発電した電力を有効に利用することができる。
【００４９】
また、実施形態に係る蓄電システム１では、調整部１００は、電力の電力系統ＣＰへの出力が抑制される割合に応じて、蓄電池ＢＴの残量を調整する制御動作を変更する。このため、電力の電力系統ＣＰへの出力が抑制される割合に応じて、適切に蓄電池ＢＴの残量を調整し、発電した電力を有効に利用することができる。
【００５０】
また、実施形態に係る蓄電システム１では、調整部１００は、電力の電力系統ＣＰへの出力が抑制される割合が大きいほど、電力の電力系統ＣＰへの出力が抑制される前夜の買電による蓄電池ＢＴへの充電電力量を少なくする。このため、電力の電力系統ＣＰへの出力が抑制される割合が大きいほど、蓄電池ＢＴの充電電力量を無駄に増やさないようにし、出力制御計画の当日に余剰太陽電力により蓄電池を効率的に満充電にすることができるため、発電した電力を有効に利用することができる。
【００５１】
また、実施形態に係る蓄電システム１では、調整部１００は、電力の電力系統ＣＰへの出力が抑制される割合が所定の既定値を超えた場合に、電力の電力系統ＣＰ側への出力が抑制される前日について、太陽光パネルＰＮの余剰電力を、蓄電池ＢＴに充電することよりも電力系統ＣＰへ売電することを優先するモードに変更する。このため、電力の電力系統ＣＰへの出力が抑制される割合が所定の既定値を超えた場合に、出力制御計画の前日に、充電電力量を無駄に増やさず積極的に売電する一方で、出力制御計画の当日に余剰太陽電力により蓄電池ＢＴを効率的に満充電にすることができるため、発電した電力を有効に利用することができる。
【００５２】
また、実施形態に係る蓄電システム１では、調整部１００は、電力の電力系統ＣＰへの出力が抑制される割合が所定の既定値を超えた場合に、電力の電力系統ＣＰ側への出力が抑制される当日について、太陽光パネルＰＮの余剰電力を、電力系統ＣＰへ売電せずに蓄電池ＢＴへ充電するモードに変更する。このため、電力の電力系統ＣＰ側への出力が抑制される当日においては、電力の電力系統ＣＰ側への出力が抑制されているため、自家消費を太陽光パネルＰＮで発電した電力でまかない、余剰電力を蓄電池ＢＴに優先的に充電することで、発電した電力を有効に利用することができる。
【００５３】
以上、本発明を実施形態を用いて説明したが、本発明の技術的範囲は上記実施形態に記載の範囲には限定されない。上記実施形態に多様な変更または改良を加えることが可能であることが当業者には明らかである。また、そのような変更または改良を加えた形態も本発明の技術的範囲に含まれ得ることが、特許請求の範囲の記載から明らかである。
【符号の説明】
【００５４】
１  蓄電システム
１００  調整部
ＢＴ  蓄電池
ＣＰ  電力系統
ＣＴ  コントローラ
ＯＵ  出力制御ユニット
ＰＣ  ハイブリッドパワーコンディショナ
ＰＮ  太陽光パネル
【図１】
2017175840.tif 000003
【図２】
2017175840.tif 000004
【図３】
2017175840.tif 000005
【図４】
2017175840.tif 000006
【図５】
2017175840.tif 000007